(57)【要約】【課題】液晶表示パネルおよび液晶表示パネルを組み込んだ液晶表示装置を提供すること。【解決手段】液晶表示パネルは、第１の基板、第２の基板、および液晶層を含む。第１の基板は、第１のベース、誘電体層、および記憶キャパシタを含む。記憶キャパシタは反射電極を含む。誘電体層は記憶キャパシタの少なくとも一部を覆う。第２の基板は実質的に第１の基板と平行にされる。第２の基板は、第２のベース、ブラックマトリクス、および共通電極を含む。ブラックマトリクスは記憶キャパシタに対応する。ブラックマトリクスは反射電極に対応する開口部を含む。開口部は、外部光が液晶表示パネルに入り、反射電極が外部光を反射して液晶表示パネルのための光源を与えるようにするために設けられる。【選択図】図１Ａ
2007193303.tif 000002
【特許請求の範囲】
【請求項１】
（１）第１のベースと、
前記第１のベース上に配置され、反射電極を有する記憶キャパシタと、
前記第１のベース上に配置され、前記記憶キャパシタの少なくとも一部を覆う誘電体層と
を備える第１の基板と、
（２）前記第１の基板と実質的に平行な第２の基板であり、
第２のベースと、
前記第２のベース上に配置され、前記記憶キャパシタに対応する不透明層であり、前記反射電極に対応する第１の開口部を有する不透明層と
を備える第２の基板と、
（３）前記第２のベース上に配置され、前記不透明層および前記第１の開口部を覆う共通電極と、
（４）前記第１の基板と前記第２の基板との間に配置される液晶層と
を具備する液晶表示パネル。
【請求項２】
前記誘電体層がコンタクト孔を有し、前記第１の基板が前記誘電体層の少なくとも一部の上に配置される透明電極をさらに備え、前記透明電極の１つの端部が前記コンタクト孔を介して前記反射電極に電気的に結合される、請求項１に記載の液晶表示パネル。
【請求項３】
前記誘電体層上に配置され、前記透明電極を覆う第１の垂直配向膜と、
前記共通電極上に配置される第２の垂直配向膜と
をさらに備え、
前記液晶層が前記第１の垂直配向膜と前記第２の垂直配向膜との間に配置される、請求項２に記載の液晶表示パネル。
【請求項４】
電圧が前記透明電極に印加されるとき、前記反射電極上の電圧および反射率（Ｖ−Ｒ）関係曲線が前記透明電極上の電圧および透過率（Ｖ−Ｔ）関係曲線と実質的に一致するように、前記誘電体層が前記液晶層の反射領域の電圧を分割する、請求項２に記載の液晶表示パネル。
【請求項５】
前記第２の基板が、前記第２のベースと前記共通電極との間に配置され、前記不透明層および前記第１の開口部を覆うカラーフィルタをさらに備える、請求項１に記載の液晶表示パネル。
【請求項６】
前記第２の基板が、
前記第２のベースと前記共通電極との間に配置され、前記不透明層を覆うカラーフィルタであり、前記第１の開口部に対応する第２の開口部を有するカラーフィルタと、
前記カラーフィルタと前記共通電極との間に配置され、前記第１の開口部および前記第２の開口部を覆う平面層と
をさらに備える、請求項１に記載の液晶表示パネル。
【請求項７】
前記液晶層が垂直に配向された液晶分子を含む、請求項１に記載の液晶表示パネル。
【請求項８】
前記誘電体層が約０．６μｍ〜約５μｍの範囲の厚さを有する、請求項１に記載の液晶表示パネル。
【請求項９】
前記不透明層がブラックマトリクスである、請求項１に記載の液晶表示パネル。
【請求項１０】
前記反射電極が、反射金属、反射金属合金、またはこれらの組合せを備える、請求項１に記載の液晶表示パネル。
【請求項１１】
前記反射電極がチタン／アルミニウムまたはチタン／アルミニウム／チタン／アルミニウムを備える、請求項１に記載の液晶表示パネル。
【請求項１２】
（１）第１のベースと、
前記第１のベース上に配置され、反射電極を有する記憶キャパシタと、
前記第１のベース上に配置され、前記記憶キャパシタの少なくとも一部を覆う誘電体層と
を備える第１の基板と、
（２）前記第１の基板と実質的に平行な第２の基板であり、
第２のベースと、
前記第２のベース上に配置されるカラーフィルタと、
前記カラーフィルタ上に配置される共通電極と
を備える第２の基板と、
（３）前記第１の基板と前記第２の基板との間に配置される液晶層と
を具備する液晶表示パネル。
【請求項１３】
前記誘電体層がコンタクト孔を有し、前記第１の基板が前記誘電体層の少なくとも一部の上に配置される透明電極をさらに備え、前記透明電極の１つの端部が前記コンタクト孔を介して前記反射電極に電気的に結合される、請求項１２に記載の液晶表示パネル。
【請求項１４】
前記カラーフィルタが前記反射電極に対応する第１の開口部を有し、前記第２の基板が前記カラーフィルタと前記共通電極との間に配置され、前記第１の開口部を覆う平面層をさらに備える、請求項１３に記載の液晶表示パネル。
【請求項１５】
前記誘電体層上に配置され、前記透明電極を覆う第１の垂直配向膜と、
前記共通電極上に配置される第２の垂直配向膜と
をさらに備え、
前記液晶層が前記第１の垂直配向膜と前記第２の垂直配向膜との間に配置される、請求項１３に記載の液晶表示パネル。
【請求項１６】
電圧が前記透明電極に印加されるとき、前記反射電極上の電圧および反射率（Ｖ−Ｒ）関係曲線が前記透明電極上の電圧および透過率（Ｖ−Ｔ）関係曲線と実質的に一致するように、前記誘電体層が前記液晶層の反射領域の電圧を分割する、請求項１３に記載の液晶表示パネル。
【請求項１７】
前記液晶層が垂直に配向された液晶分子を含む、請求項１２に記載の液晶表示パネル。
【請求項１８】
前記誘電体層が約０．６μｍ〜約５μｍの範囲の厚さを有する、請求項１２に記載の液晶表示パネル。
【請求項１９】
前記反射電極が、反射金属、反射金属合金、またはこれらの組合せを備える、請求項１２に記載の液晶表示パネル。
【請求項２０】
前記反射電極がチタン／アルミニウムまたはチタン／アルミニウム／チタン／アルミニウムを備える、請求項１２に記載の液晶表示パネル。
【請求項２１】
液晶表示パネルと、
前記液晶表示パネルのすぐ下に配置されるバックライトモジュールと、
前記バックライトモジュールと前記液晶表示パネルとの間に配置される第１の偏光子と、
前記液晶表示パネル上に配置される第２の偏光子と
を具備する液晶表示装置であって、
前記液晶表示パネルが、
（１）第１のベースと、
前記第１のベース上に配置され、反射電極を有する記憶キャパシタと、
前記第１のベース上に配置され、前記記憶キャパシタの少なくとも一部を覆う誘電体層であり、コンタクト孔を有する誘電体層と、
前記誘電体層の少なくとも一部の上に配置される透明電極であり、透明電極の１つの端部が前記コンタクト孔を介して前記反射電極に電気的に結合される、透明電極と
を含む第１の基板と、
（２）前記第１の基板と実質的に平行な第２の基板であり、
第２のベースと、
前記第２のベース上に配置され、前記記憶キャパシタに対応するブラックマトリクスであり、ブラックマトリクスが前記反射電極に対応する第１の開口部を有し、それによって、外部光が前記液晶表示パネルに入り、前記反射電極が前記外部光を反射して前記液晶表示パネルのための光源を与える、ブラックマトリクスと、
前記第２のベース上に配置され、前記ブラックマトリクスおよび前記第１の開口部を覆う共通電極と
を含む第２の基板と、
（３）前記第１の基板と前記第２の基板との間に配置される液晶層と
を備える、液晶表示装置。
【請求項２２】
前記第２の基板が、前記第２のベースと前記共通電極との間に配置され、前記ブラックマトリクスおよび前記第１の開口部を覆うカラーフィルタをさらに備える、請求項２１に記載の液晶表示装置。
【請求項２３】
前記第２の基板が、
前記第２のベースと前記共通電極との間に配置され、前記ブラックマトリクスを覆うカラーフィルタであり、前記第１の開口部に対応する第２の開口部を有するカラーフィルタと、
前記カラーフィルタと前記共通電極との間に配置され、前記第１の開口部および前記第２の開口部を覆う平面層と
をさらに備える、請求項２１に記載の液晶表示装置。
【請求項２４】
前記誘電体層上に配置され、前記透明電極を覆う第１の垂直配向膜と、
前記共通電極上に配置される第２の垂直配向膜と
をさらに備え、
前記液晶層が前記第１の垂直配向膜と前記第２の垂直配向膜との間に配置される、請求項２１に記載の液晶表示装置。
【請求項２５】
前記誘電体層が約０．６μｍ〜約５μｍの範囲の厚さを有する、請求項２１に記載の液晶表示装置。
【請求項２６】
電圧が前記透明電極に印加されるとき、前記反射電極上の電圧および反射率（Ｖ−Ｒ）関係曲線が前記透明電極上の電圧および透過率（Ｖ−Ｔ）関係曲線と実質的に一致するように、前記誘電体層が前記液晶層の反射領域の電圧を分割する、請求項２１に記載の液晶表示装置。
【請求項２７】
前記反射電極が、反射金属、反射金属合金、またはこれらの組合せを備える、請求項２１に記載の液晶表示装置。
【請求項２８】
前記反射電極がチタン／アルミニウムまたはチタン／アルミニウム／チタン／アルミニウムを備える、請求項２１に記載の液晶表示装置。
【請求項２９】
前記液晶表示パネルが、垂直配向（ＶＡ）タイプの液晶表示パネルである、請求項２１に記載の液晶表示装置。
【発明の詳細な説明】
【関連出願】
【０００１】
本出願は、２００６年１月１８日に出願された台湾出願第９５１０２１１４号の利益を主張し、その内容は参照により本明細書に組み込まれる。
【発明の分野】
【０００２】
[0001]本発明は、一般に、液晶表示パネルおよび液晶表示パネルを組み込んだ液晶表示装置に関し、より詳細には、反射電極として記憶キャパシタの電極を使用し、ブラックマトリクス上に記憶キャパシタに対応する開口部を形成する液晶表示パネルおよび液晶表示パネルを組み込んだ液晶表示装置に関する。
【関連技術の説明】
【０００３】
[0002]微反射液晶表示装置は、パネルが日光下にさらされる場合に表面上の強い反射によって起こされる情報認識障害を解決するために特別な製造プロセスを使用せずに、通常の透過表示パネル上に微反射要素を形成できる透過反射液晶表示装置である。しかし、本来のＴＮモード製造方法が何も特別な製造プロセスを加えることなしに使用される。バックライトモジュールまたは偏光子の構造が改良されて微反射効果が達成される。しかし、反射中に、反射液晶表示装置は反射された電圧および反射率（Ｖ−Ｒ）関係曲線を最適化しない。さらに、ＴＮモードが採用されているので、液晶表示装置のコントラストを改善することができず、液晶表示装置の実用性に大きな影響を及ぼす。
【発明の概要】
【０００４】
[0003]したがって、本発明の目的は、液晶表示パネルおよび液晶表示パネルを組み込んだ液晶表示装置を提供することである。液晶表示パネルは、反射領域として記憶キャパシタの電極を使用し、不透明層(ブラックマトリクスなど)上に開口部を有する。開口部は反射領域に対応し、内部に反射された光、すなわち光Ｌ１は変調される。さらに、本発明の本実施形態による液晶表示パネルは、透過領域と同じ飽和電圧を達成するように反射領域の液晶層の電圧を分割するために、記憶キャパシタの最上部上に誘電体層を有する。反射領域の小部分が透明電極および反射電極の両方を有するので、反射領域の閾値電圧は透過領域の閾値電圧に近くなり、したがってより高い反射コントラストが達成されることになる。
【０００５】
[0004]本発明は、第１の基板、第２の基板、および液晶層を含む液晶表示パネルを提供することによって、上記で明確にされた目的を達成する。第１の基板は、第１のベース、記憶キャパシタ、および誘電体層を含む。記憶キャパシタは第１のベース上に配置され、反射電極を有する。誘電体層は第１のベース上に配置され、記憶キャパシタの少なくとも一部を覆う。第２の基板は第１の基板と実質的に平行で、第２のベース、ブラックマトリクス、および共通電極を含む。ブラックマトリクスは第２のベース上に配置され、記憶キャパシタに対応する。ブラックマトリクスは開口部を有する。開口部は、外部光が液晶表示パネルに入り、反射電極が外部光を反射して液晶表示パネルのための光源を与えるようにするための反射電極に対応する。共通電極は第２のベース上に配置され、ブラックマトリクスおよび開口部を覆う。液晶層は第１の基板と第２の基板との間に配置される。
【０００６】
[0005]本発明は、液晶表示パネル、バックライトモジュール、第１の偏光子、および第２の偏光子を含む液晶表示装置を提供することによって、上記で明確にされた目的をさらに達成する。液晶表示パネルは、第１の基板、第２の基板、および液晶層を含む。第１の基板は、第１のベース、記憶キャパシタ、誘電体層、および透明電極を含む。記憶キャパシタは第１のベース上に配置され、反射電極を有する。誘電体層は第１のベース上に配置され、記憶キャパシタの少なくとも一部を覆う。誘電体層はコンタクト孔を有する。透明電極は誘電体層の少なくとも一部の上に配置される。透明電極の１つの端部はコンタクト孔を介して反射電極に電気的に接続される。第２の基板は第１の基板と実質的に平行で、第２のベース、ブラックマトリクス、および共通電極を含む。ブラックマトリクスは第２のベース上に配置され、記憶キャパシタに対応する。ブラックマトリクスは開口部を有する。開口部は、反射電極、および反射電極に電気的に接続される透明電極の端部に対応する。それによって、外部光が液晶表示パネルに入り、反射電極が外部光を反射して液晶表示パネルのための光源を与える。共通電極は第２のベース上に配置され、ブラックマトリクスおよび開口部を覆う。液晶層は、第１の基板と第２の基板との間に配置される。バックライトモジュールは液晶表示パネルのすぐ下に配置される。第１の偏光子は、バックライトモジュールと液晶表示パネルとの間に配置される。第２の偏光子は液晶表示パネル上に配置される。
【０００７】
[0006]本発明は、第１の基板、第２の基板、および液晶層を含む液晶表示パネルを提供することによって、上記で明確にされた目的をさらに達成する。第１の基板は、第１のベース、記憶キャパシタ、および誘電体層を含む。記憶キャパシタは第１のベース上に配置され、反射電極を有する。誘電体層は第１のベース上に配置され、記憶キャパシタの少なくとも一部を覆う。第２の基板は第１の基板と実質的に平行で、第２のベース、カラーフィルタ、および共通電極を含む。カラーフィルタは第２のベース上に配置される。共通電極はカラーフィルタ上に配置される。液晶層は第１の基板と第２の基板との間に配置される。
【０００８】
[0007]本発明の他の目的、特徴、および利点は、好ましいが限定されない実施形態の以下の詳細な説明から明らかになるであろう。以下の説明は添付の図面を参照しながら行われる。
【本発明の詳細な説明】
【０００９】
[0014]図１Ａを参照して、本発明の好ましい実施形態による第１のタイプの液晶表示装置の構造断面図が示される。図１Ａに示されるように、液晶表示装置１０は液晶表示パネル２０、バックライトモジュール６０、第１の偏光子７０、および第２の偏光子８０を含む。液晶表示パネル２０は第１の基板３０、第２の基板４０、および液晶層５０を含む。第１の基板３０は第１のベース３１、記憶キャパシタ３２、誘電体層３３、および透明電極３４を含む。記憶キャパシタ３２は第１のベース３１上に配置され、反射電極３２ａを有する。誘電体層３３は第１のベース３１上に配置され、記憶キャパシタ３２の少なくとも一部を覆う。誘電体層３３はコンタクト孔３３ａを有する。透明電極３４は、誘電体層３３の少なくとも一部の上に配置される。透明電極３４の１つの端部は、コンタクト孔３３ａを介して反射電極３２ａに電気的に接続される。第２の基板４０は、第１の基板３０と実質的に平行で、第２のベース４１、ブラックマトリクス４２、および共通電極４４を含む。ブラックマトリクス４２は第２のベース４１上に配置され、記憶キャパシタ３２に対応する。ブラックマトリクス４２は開口部４２ａを有する。ブラックマトリクス４２は他の不透明層を備えることがある。開口部４２ａは、反射電極３２ａ、および反射電極３２ａに電気的に接続される透明電極３４の端部に対応する。記憶キャパシタ３２上に配置される開口部４２ａは、外部光Ｌ１が液晶表示パネル２０に入り、反射電極３２ａが外部光を反射して液晶表示パネル２０のための光源を与えるようにするために設けられる。共通電極４４は第２のベース４１上に配置され、ブラックマトリクス４２および開口部４２ａを覆う。液晶層５０は、第１の基板３０と第２の基板４０との間に配置される。バックライトモジュール６０は液晶表示パネル２０のすぐ下に、第１の基板３１に隣接して配置され、液晶表示パネル２０のための内部光Ｌ２を与える。第１の偏光子７０は、バックライトモジュール６０と液晶表示パネル２０との間に配置される。第２の偏光子８０は液晶表示パネル２０上に、第２の基板４０に隣接して配置される。コンタクト孔３３ａは開口部４２ａの投射領域内に配置され、またはコンタクト孔３３ａの一部が開口部４２ａの投射領域内に配置される。
【００１０】
[0015]その上、液晶表示パネル２０は、第１の垂直配向膜３５および第２の垂直配向膜４５をさらに含む。第１の垂直配向膜３５は誘電体層３３上に配置され、透明電極３４および記憶キャパシタ３２を覆う。第２の垂直配向膜４５は共通電極４４上に配置される。液晶層５０は、第１の垂直配向膜３５と第２の垂直配向膜４５との間に配置される。
【００１１】
[0016]本発明の本実施形態では、第２の基板４１はカラーフィルタ４３をさらに含む。カラーフィルタ４３は、第２のベース４１と共通電極４４との間に配置され、ブラックマトリクス４２および開口部４２ａを覆う。
【００１２】
[0017]しかし、液晶表示パネルのカラーフィルタは開口部を有するように設計することができる。図１Ｂを参照して、本発明の好ましい実施形態による第２のタイプの液晶表示装置１０ａの構造断面図が示される。液晶表示装置１０ａに示されるように、液晶表示パネル２０ａの第２の基板４０ａは、カラーフィルタ４３ａおよび平面層４６をさらに含む。カラーフィルタ４３ａは、第２のベース４１と共通電極４４との間に配置され、ブラックマトリクス４２を覆う。カラーフィルタ４３ａは、ブラックマトリクス４２の開口部４２ａに対応する別の開口部４３ｂを有する。平面層４６は、カラーフィルタ４３ａと共通電極４４との間に配置され、ブラックマトリクス４２の開口部４２ａおよびカラーフィルタ４３ａの開口部４３ｂを覆う。
【００１３】
[0018]さらに、液晶表示パネルの記憶キャパシタはブラックマトリクスの開口部を必要としない。図１Ｃを参照して、本発明の好ましい実施形態による第３のタイプの液晶表示装置１０ｂの構造断面図が示される。液晶表示装置１０ｂに示されるように、液晶表示パネル２０ｂの第２の基板４０ｂは第２のベース４１上に配置されるカラーフィルタ４３ｃをさらに含む。共通電極４４はカラーフィルタ４３ｃ上に配置される。
【００１４】
[0019]液晶表示パネルの記憶キャパシタはブラックマトリクスの開口部を必要としない。カラーフィルタは開口部を有するように設計することができる。図１Ｄを参照して、本発明の好ましい実施形態による第４のタイプの液晶表示装置１０ｃの構造断面図が示される。液晶表示装置１０ｃに示されるように、液晶表示パネル２０ｃの第２の基板４０ｃは、カラーフィルタ４３ｄおよび平面層４６ａをさらに含む。カラーフィルタ４３ｄは、反射電極３２ａ、および反射電極３２ａに電気的に接続される透明電極３４の端部に対応する開口部４３ｅを有する。平面層４６ａは、カラーフィルタ４３ｄと共通電極４４との間に配置され、開口部４３ｅを覆う。
【００１５】
[0020]さらに、液晶表示パネル２０〜２０ｃは、それぞれ垂直配向（ＶＡ）タイプの液晶表示パネルまたは微反射タイプ表示パネルとすることができる。各液晶層５０はいくつかの垂直に配向された液晶分子を含む。さらに、液晶表示パネル２０〜２０ｃは、それぞれ記憶キャパシタ３２に対応する反射領域を形成する。液晶表示パネル２０〜２０ｃは、それぞれ透明電極３４に対応する透過領域を形成する。電圧が透明電極３４に印加されるとき、液晶表示パネル２０〜２０ｃの反射電極３２ａ上の電圧および反射率（Ｖ−Ｒ）関係曲線が、液晶表示パネル２０〜２０ｃの透明電極３４上の電圧および透過率（Ｖ−Ｔ）関係曲線と実質的に一致するように、誘電体層３３は液晶層の反射領域の電圧を分割するために設けられる。すなわち、誘電体層３３の設計によって、液晶表示パネル２０〜２０ｃの反射領域の電圧および反射率（Ｖ−Ｒ）関係曲線が、液晶表示パネル２０〜２０ｃの透過領域の電圧および透過率（Ｖ−Ｔ）関係曲線と実質的に一致し、液晶表示装置１０〜１０ｃのコントラストが大きく増加することになる。
【００１６】
[0021]図２を参照して、透明電極が本発明の好ましい実施形態による反射領域内にない場合の液晶表示パネルの反射領域の電圧および反射率（Ｖ−Ｒ）関係曲線ならびに液晶表示パネルの透過領域の電圧および透過率（Ｖ−Ｔ）関係曲線が示される。図２に示されるように、誘電体層３３の厚さが異なる場合、例えば厚さｈ２が厚さｈ１より大きい場合、それに応じて、電圧および反射率（Ｖ−Ｒ）関係曲線と電圧および透過率（Ｖ−Ｔ）関係曲線との間の一致が異なることになる。しかし、誘電体層３３の厚さが厚すぎるかまたは薄すぎる場合、電圧および反射率（Ｖ−Ｒ）関係曲線は、電圧および透過率（Ｖ−Ｔ）関係曲線と一致しないことになる。誘電体層が約０．６μｍから約５μｍの範囲の厚さを有する場合、電圧および反射率（Ｖ−Ｒ）関係曲線は、電圧および透過率（Ｖ−Ｔ）関係曲線とよく一致する。
【００１７】
[0022]図３を参照して、透明電極の小部分が本発明の好ましい実施形態による反射領域内にある場合の液晶表示パネルの反射領域の電圧および反射率（Ｖ−Ｒ）関係曲線ならびに液晶表示パネルの透過領域の電圧および透過率（Ｖ−Ｔ）関係曲線が示される。図３に示されるように、透明電極３４の小部分が反射領域内にあり、液晶層の反射領域上の電圧の一部が透明電極３４の電圧によって供給されるので、反射領域の電圧および反射率（Ｖ−Ｒ）関係曲線の前部分の立上り部は透過領域の電圧および透過率（Ｖ−Ｔ）関係曲線の前部分の立上り部とよりよく一致することになる。誘電体層３３の厚さが異なる場合、例えば、厚さｈ５が厚さｈ４より大きく、厚さｈ４が厚さｈ３より大きい場合、それに応じて、電圧および反射率（Ｖ−Ｒ）関係曲線と電圧および透過率（Ｖ−Ｔ）関係曲線との間の一致が異なることになる。
【００１８】
[0023]本発明の本実施形態の当業者は、本発明の本実施形態の技術がそれに限定されないことを理解するであろう。例えば、誘電体層３３の例は無機材料または有機材料を含む。さらに、反射電極３２ａは、反射金属、反射金属合金、またはそれの任意の組合せを含む。反射電極３２ａは、下層から上層までチタン／アルミニウムまたはチタン／アルミニウム／チタン／アルミニウムの順番の単層構造または多層構造とすることができる。さらに、第１のベース３１および第２のベース４１の例は、ガラス基板、絶縁基板、プラスチック基板、セラミック基板、または可撓性基板を含む。透明電極３４はアクティブマトリクスピクセルアレイのピクセル内のピクセル電極であり、透明電極の材料にはインジウムスズ酸化物（ＩＴＯ）、インジウム亜鉛酸化物（ＩＺＯ）、カドミウムスズ酸化物（ＣＴＯ）、二酸化スズ（ＳｎＯ２）、酸化亜鉛（ＺｎＯ）、または他の同様の透明な金属酸化物を含む透明な導電材料が含まれる。液晶表示装置１０は、表示ユニットを必要とするいかなる電子装置にも適用することができる。電子装置の例には、コンピュータスクリーン、フラットＴＶ、モニタスクリーン、携帯電話、ハンドヘルドゲーム機、デジタルカメラ（ＤＣ）、デジタルビデオ（ＤＶ）、デジタルオーディオ装置、個人情報機器（ＰＤＡ）、ノートブックおよびテーブルＰＣが含まれる。
【００１９】
[0024]本発明の上記の実施形態に開示された液晶表示パネルおよび液晶表示装置によれば、液晶表示パネルは、反射領域として記憶キャパシタの電極を使用し、反射領域に対応して不透明層（ブラックマトリクスなど）上に開口部を有し、それにより内部に反射された光すなわち光Ｌ１が変調される。さらに、本発明の本実施形態による液晶表示パネルは、透過領域と同じ飽和電圧を達成するように反射領域の液晶層の電圧を分割するために、記憶キャパシタの最上部上に誘電体層を有する。反射領域の小部分が透明電極および反射電極の両方を有するので、反射領域の閾値電圧は透過領域の閾値電圧に近くなり、したがってより高い反射コントラストが達成されることになる。
【００２０】
[0025]本発明は、例としておよび好ましい実施形態に関して説明されたが、本発明がそれに限定されないことを理解すべきである。それどころか、さまざまな変更ならびに同様の構成および手順を含むことを意図し、したがって、添付の特許請求の範囲は、全てそのような変更ならびに同様の構成および手順を包含するように最も広い解釈が与えられるべきである。
【図面の簡単な説明】
【００２１】
【図１Ａ】本発明の好ましい実施形態による第１のタイプの液晶表示装置の構造断面図である。
【図１Ｂ】本発明の好ましい実施形態による第２のタイプの液晶表示装置の構造断面図である。
【図１Ｃ】本発明の好ましい実施形態による第３のタイプの液晶表示装置の構造断面図である。
【図１Ｄ】本発明の好ましい実施形態による第４のタイプの液晶表示装置の構造断面図である。
【図２】透明電極が本発明の好ましい実施形態による反射領域内にない場合の液晶表示パネルの反射領域の電圧および反射率（Ｖ−Ｒ）関係曲線ならびに液晶表示パネルの透過領域の電圧および透過率（Ｖ−Ｔ）関係曲線を示す図である。
【図３】透明電極３４の小部分が本発明の好ましい実施形態による反射領域内にある場合の液晶表示パネルの反射領域の電圧および反射率（Ｖ−Ｒ）関係曲線ならびに液晶表示パネルの透過領域の電圧および透過率（Ｖ−Ｔ）関係曲線を示す図である。
【符号の説明】
【００２２】
１０，１０ａ，１０ｂ，１０ｃ…液晶表示装置、２０，２０ａ，２０ｂ，２０ｃ…液晶表示パネル、３０…第１の基板、３１…第１のベース、３２…記憶キャパシタ、３２ａ…反射電極、３３…誘電体層、３３ａ…コンタクト孔、３４…透明電極、３５…第１の垂直配向膜、４０，４０ａ，４０ｂ，４０ｃ…第２の基板、４１…第２のベース、４２…ブラックマトリクス、４２ａ…開口部、４３，４３ａ，４３ｃ，４３ｄ…カラーフィルタ、４３ｂ，４３ｅ…開口部、４４…共通電極、４５…第２の垂直配向膜、４６，４６ａ…平面層、５０…液晶層、６０…バックライトモジュール、７０…第１の偏光子、８０…第２の偏光子、Ｌ１…光、Ｌ２…内部光
【図１Ａ】
2007193303.tif 000003
【図１Ｂ】
2007193303.tif 000004
【図１Ｃ】
2007193303.tif 000005
【図１Ｄ】
2007193303.tif 000006
【図２】
2007193303.tif 000007
【図３】
2007193303.tif 000008